(57)【要約】【課題】用紙の積載状態の不良を低減できる排紙装置を提供する。【解決手段】用紙が積載される昇降可能な排紙台と、排紙台へ用紙を排紙する排紙部２と、排紙台上に積載された用紙の最上面の高さ位置の基準となる位置における用紙の有無を検知する上面検知センサ９と、排紙部２による排紙動作中において、上面検知センサ９が検知状態になると、上面検知センサ９が非検知状態になるまで排紙台を下降させる制御を行う制御部１１とを備え、制御部１１は、排紙台の下降後の、上面検知センサ９が非検知状態での排紙枚数である上面非検知排紙枚数が規定枚数に達すると、排紙動作を中止させる。【選択図】図３
2014076895.tif 000002
【特許請求の範囲】
【請求項１】
用紙が積載される昇降可能な排紙台と、
前記排紙台へ用紙を排紙する排紙部と、
前記排紙台上に積載された用紙の最上面の高さ位置の基準となる位置における用紙の有無を検知する検知部と、
前記排紙部による排紙動作中において、前記検知部が検知状態になると、前記検知部が非検知状態になるまで前記排紙台を下降させる制御を行う制御部とを備え、
前記制御部は、前記排紙台の下降後の、前記検知部が非検知状態での排紙枚数である上面非検知排紙枚数が規定枚数に達すると、排紙動作を中止させることを特徴とする排紙装置。
【請求項２】
前記制御部は、前記上面非検知排紙枚数が前記規定枚数に達しても排紙動作を続行することを選択可能であり、排紙動作を続行する場合、前記上面非検知排紙枚数が前記規定枚数に達すると、規定下降量だけ前記排紙台を下降させることを特徴とする請求項１に記載の排紙装置。
【発明の詳細な説明】
【技術分野】
【０００１】
本発明は、印刷された用紙を排紙する排紙装置に関する。
【背景技術】
【０００２】
従来、印刷装置で印刷された用紙を排紙して排紙台上に積載する排紙装置が知られている。
【０００３】
特許文献１には、排紙方向に直交する用紙幅方向において排紙台を傾斜させる傾動機構を備えた排紙装置が開示されている。この排紙装置では、排紙台上の積載用紙が、用紙幅方向における一方側が上方にカールしている場合、排紙台を一方側が下がるように傾斜させる。これにより、用紙の積載面を水平に保ち、用紙が揃うようにしている。
【先行技術文献】
【特許文献】
【０００４】
【特許文献１】特開平７−２０６２５０号公報
【発明の概要】
【発明が解決しようとする課題】
【０００５】
カールした用紙が多枚数積み重なると、用紙の重みで下層部の用紙が潰され、折り目やしわが生じるおそれがある。また、用紙がカールしたまま積み重なった状態では、ユーザが排紙台から用紙をとり出す際に取り出しにくくなることがある。特許文献１の排紙装置では、カールした用紙をそのまま積載していくため、上記のようなカールした用紙が積み重なることによる積載状態の不良が生じるおそれがある。
【０００６】
本発明は上記に鑑みてなされたもので、用紙の積載状態の不良を低減できる排紙装置を提供することを目的とする。
【課題を解決するための手段】
【０００７】
上記目的を達成するため、本発明に係る排紙装置の第１の特徴は、用紙が積載される昇降可能な排紙台と、前記排紙台へ用紙を排紙する排紙部と、前記排紙台上に積載された用紙の最上面の高さ位置の基準となる位置における用紙の有無を検知する検知部と、前記排紙部による排紙動作中において、前記検知部が検知状態になると、前記検知部が非検知状態になるまで前記排紙台を下降させる制御を行う制御部とを備え、前記制御部は、前記排紙台の下降後の、前記検知部が非検知状態での排紙枚数である上面非検知排紙枚数が規定枚数に達すると、排紙動作を中止させることにある。
【０００８】
本発明に係る排紙装置の第２の特徴は、前記制御部は、前記上面非検知排紙枚数が前記規定枚数に達しても排紙動作を続行することを選択可能であり、排紙動作を続行する場合、前記上面非検知排紙枚数が前記規定枚数に達すると、規定下降量だけ前記排紙台を下降させることにある。
【発明の効果】
【０００９】
本発明に係る排紙装置の第１の特徴によれば、上面非検知排紙枚数が規定枚数に達すると、排紙動作を中止させるので、多数枚の用紙がカールしたまま積み重なっていくことを防止できる。この結果、用紙の積載状態の不良を低減できる。
【００１０】
本発明に係る排紙装置の第２の特徴によれば、上面非検知排紙枚数が規定枚数に達しても排紙動作を続行することを選択可能であるので、積載状態より積載量を重視する使用に対応できる。
【図面の簡単な説明】
【００１１】
【図１】実施の形態に係る排紙装置の斜視図である。
【図２】実施の形態に係る排紙装置の側面断面図である。
【図３】実施の形態に係る排紙装置の制御系の構成を示すブロック図である。
【図４】排紙台の下降制御のフローチャートである。
【図５】カールした用紙が積み重なる様子の説明図である。
【図６】選択画面の一例を示す図である。
【図７】エラー通知画面の一例を示す図である。
【発明を実施するための形態】
【００１２】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１３】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１４】
図１は、本発明の実施の形態に係る排紙装置の斜視図、図２は、図１に示す排紙装置の側面断面図、図３は、図１に示す排紙装置の制御系の構成を示すブロック図である。以下の説明において、図１に示すように、排紙される用紙の先端側を前方とする。また、前側から見て、上下左右を上下左右方向とする。
【００１５】
図１〜図３に示すように、本実施の形態に係る排紙装置１は、排紙部２と、排紙台３と、昇降駆動部４と、一対のサイドフェンス５Ａ，５Ｂと、サイドフェンス駆動部６と、エンドフェンス７と、エンドフェンス駆動部８と、上面検知センサ（請求項の検知部に相当）９と、操作パネル部１０と、制御部１１とを備える。排紙装置１は、印刷装置１００に接続されている。
【００１６】
排紙部２は、印刷装置１００で印刷された用紙Ｐを排紙台３へと排紙する。排紙部２は、複数の排紙ローラ２１と、排紙モータ２２と、排紙センサ２３とを備える。
【００１７】
排紙ローラ２１は、用紙Ｐを搬送して排紙台３へと排紙する。排紙ローラ２１は、排紙台３に対して、後方の上方に配置されている。
【００１８】
排紙モータ２２は、複数の排紙ローラ２１を駆動させる。
【００１９】
排紙センサ２３は、排紙ローラ２１により排紙台３へと排紙される用紙Ｐを検知する。排紙センサ２３は、排紙ローラ２１により搬送される用紙Ｐの搬送経路の下方に配置されている。排紙センサ２３は、反射型の光センサからなる。
【００２０】
排紙台３は、排紙部２から排紙された用紙Ｐが積載されるものである。排紙台３は、平面視矩形状の底板部２６と、中央部材２７と、コシ付け部材２８，２９とを有する。
【００２１】
中央部材２７は、底板部２６上の左右方向の中央部に、前後方向に延びるように形成されている。中央部材２７の上面２７ａは、略水平な平面になっている。中央部材２７の上面２７ａは、排紙台３の用紙載置面の一部を構成する。
【００２２】
コシ付け部材２８，２９は、左右方向に細長い楔状の部材からなる。コシ付け部材２８，２９は、底板部２６上において、前後方向に間隔をおいてそれぞれ複数配置されている。コシ付け部材２８は、中央部材２７の左側に隙間を介して配置されている。コシ付け部材２８の上面２８ａは、右側から左側に向かって徐々に高くなるように傾斜している。コシ付け部材２９は、中央部材２７の右側に隙間を介して配置されている。コシ付け部材２９の上面２９ａは、左側から右側に向かって徐々に高くなるように傾斜している。コシ付け部材２８，２９の上面２８ａ，２９ａは、中央部材２７の上面２７ａとともに、排紙台３の用紙載置面を構成する。この用紙積載面は、左右方向の両側が中央より高い略Ｖ字形状になっている。これにより、用紙Ｐが、用紙幅方向（左右方向）の両側が中央より上方に湾曲する略Ｕ字形状で排紙台３上に積載される。これにより、用紙Ｐにコシをつけて整列性を良好にすることができる。
【００２３】
昇降駆動部４は、排紙台３を昇降させる。昇降駆動部４は、昇降機構３１と、昇降モータ３２とを有する。
【００２４】
昇降機構３１は、ラックアンドピニオン機構を有し、昇降モータ３２の駆動力により排紙台３を昇降させる。
【００２５】
昇降モータ３２は、昇降機構３１により排紙台３を昇降させるための駆動力を発生する。昇降モータ３２の正転駆動により排紙台３が上昇し、逆転駆動により排紙台３が下降するようになっている。
【００２６】
一対のサイドフェンス５Ａ，５Ｂは、排紙台３上に排紙される用紙Ｐの用紙幅方向（左右方向）における両端の位置を規制する。サイドフェンス５Ａ，５Ｂは、排紙台３の上方に吊り下げられる状態で設けられ、排紙台３からは分離している。サイドフェンス５Ａ，５Ｂは、左右方向に離間して並設されている。
【００２７】
サイドフェンス駆動部６は、一対のサイドフェンス５Ａ，５Ｂを移動させる。サイドフェンス駆動部６は、サイドフェンス移動機構３３と、サイドフェンスモータ３４とを備える。
【００２８】
サイドフェンス移動機構３３は、サイドフェンスモータ３４の駆動力により、一対のサイドフェンス５Ａ，５Ｂを互いに接近させる方向または互いに離間させる方向に移動させる。サイドフェンス移動機構３３は、一対のサイドフェンス５Ａ，５Ｂの上方に設けられている。
【００２９】
サイドフェンスモータ３４は、サイドフェンス移動機構３３によりサイドフェンス５Ａ，５Ｂを移動させるための駆動力を発生する。サイドフェンスモータ３４の正転駆動によりサイドフェンス５Ａ，５Ｂが互いに接近し、サイドフェンスモータ３４の逆転駆動によりサイドフェンス５Ａ，５Ｂが互いに離間するようになっている。
【００３０】
エンドフェンス７は、排紙台３に排紙される用紙Ｐの前端位置を規制する。エンドフェンス７は、排紙台３の上方に吊り下げられる状態で設けられ、排紙台３からは分離している。
【００３１】
エンドフェンス駆動部８は、エンドフェンス７を移動させる。エンドフェンス駆動部８は、エンドフェンス移動機構３５と、エンドフェンスモータ３６とを備える。
【００３２】
エンドフェンス移動機構３５は、エンドフェンスモータ３６の駆動力により、エンドフェンス７を前後方向に移動させる。エンドフェンス移動機構３５は、エンドフェンス７の上方に設けられている。
【００３３】
エンドフェンスモータ３６は、エンドフェンス移動機構３５によりエンドフェンス７を移動させるための駆動力を発生する。エンドフェンスモータ３６の正転駆動によりエンドフェンス７が前側へと移動し、エンドフェンスモータ３６の逆転駆動によりエンドフェンス７が後側へと移動するようになっている。
【００３４】
上面検知センサ９は、排紙台３上の積載用紙の最上面の高さ位置（上面位置）の基準となる基準上面位置における用紙Ｐの有無を検知するためのものである。基準上面位置は、排紙部２から排紙台３へと落下した用紙Ｐが整然と積載されるようにするために最適な高さ位置として予め設定されたものである。上面検知センサ９は、透過型の光センサからなり、発光部９ａと、受光部９ｂとを有する。
【００３５】
発光部９ａおよび受光部９ｂは、排紙台３を挟んで前後方向に互いに離間して対向配置されている。発光部９ａは、受光部９ｂに向けて光を発する。発光部９ａおよび受光部９ｂは、光軸の高さ位置が基準上面位置に一致するように配置されている。発光部９ａおよび受光部９ｂは、左右方向においては、光軸が排紙台３の中央部材２７の存在する範囲内を通るように配置されている。受光部９ｂは、発光部９ａとの間に用紙Ｐがないとき、発光部９ａからの光を受光し、発光部９ａからの光が用紙Ｐにより遮られると受光しない。すなわち、上面検知センサ９は、受光部９ｂが発光部９ａからの光を受光しない状態となることで、用紙Ｐを検知する。
【００３６】
操作パネル部１０は、ユーザの入力操作を受け付けるとともに、各種の情報等を表示するものである。操作パネル部１０は、印刷装置１００と共通のものである。操作パネル部１０は、入力部３７と、表示部３８とを備える。
【００３７】
入力部３７は、ユーザによる入力操作を受け付け、操作に応じた操作信号を出力する。入力部３７は、各種の操作キー、タッチパネル等を有する。
【００３８】
表示部３８は、各種の情報等を表示するものである。表示部３８は、液晶表示パネル等を有する。
【００３９】
制御部１１は、排紙装置１全体の動作を制御する。また、制御部１１は、印刷装置１００との間で信号を送受信する。制御部１１は、ＣＰＵ、ＲＡＭ、ＲＯＭ、ＨＤＤ等の記憶装置等を備えて構成される。
【００４０】
制御部１１は、排紙動作中において、排紙台３上の積載用紙の上面位置を維持するために、昇降駆動部４により排紙台３を下降させる制御を行う。具体的には、制御部１１は、排紙動作中において、排紙台３上に用紙が積載されて上面検知センサ９がＯＮになると、上面検知センサ９がＯＦＦになるまで排紙台３を下降させる制御を行う。この際、制御部１１は、排紙台３の下降後の、上面検知センサ９がＯＦＦの状態での排紙枚数のカウント値（請求項の上面非検知排紙枚数に相当）Ｃｎｔが規定枚数Ｎに達すると、排紙動作の中止か続行かを選択する。排紙動作を続行する場合、制御部１１は、規定下降量Ｈだけ排紙台３を下降させる。
【００４１】
ここで、上面検知センサ９における検知状態（発光部９ａからの光が途中で遮られて受光部９ｂが受光していない状態）をＯＮ、非検知状態（発光部９ａからの光を受光部９ｂが受光している状態）をＯＦＦとする。制御部１１は、受光部９ｂによる受光量に基づき、上面検知センサ９のＯＮ／ＯＦＦを判断する。
【００４２】
次に、排紙装置１の動作について説明する。
【００４３】
排紙装置１は、印刷装置１００での印刷動作に応じて、排紙動作を行う。排紙動作を開始する際、制御部１１は、上面位置出し動作を行う。具体的には、制御部１１は、昇降モータ３２の正転駆動により排紙台３の上昇を開始させる。昇降モータ３２の正転駆動を開始させた後、上面検知センサ９がＯＮになると、制御部１１は、昇降モータ３２を停止させることで、排紙台３の上昇を停止させる。
【００４４】
その後、制御部１１は、昇降モータ３２の逆転駆動により排紙台３の下降を開始させる。そして、上面検知センサ９がＯＦＦになると、制御部１１は、昇降モータ３２を停止させることで、排紙台３の下降を停止させる。以上により、上面位置出し動作が終了する。上面位置出し動作により、排紙台３の中央部材２７の上面２７ａ、または、排紙台３上に積載済みの用紙Ｐの最上面が、基準上面位置に位置するように調整される。
【００４５】
また、制御部１１は、サイドフェンス駆動部６およびエンドフェンス駆動部８を制御して、サイドフェンス５Ａ，５Ｂおよびエンドフェンス７を、排紙される用紙Ｐのサイズに応じた位置に調整させる。
【００４６】
上面位置出し動作、サイドフェンス５Ａ，５Ｂおよびエンドフェンス７の調整の終了後、制御部１１は、排紙動作を開始し、印刷装置１００から順次送られてくる用紙Ｐを、排紙部２により排紙台３へと順次排紙させる。
【００４７】
排紙動作中において、制御部１１は、排紙台３の下降制御を行う。この排紙動作中の排紙台３の下降制御について、図４のフローチャートを参照して説明する。
【００４８】
排紙動作を開始すると、図４のステップＳ１において、制御部１１は、排紙枚数のカウントを開始する。制御部１１は、排紙センサ２３のＯＮ／ＯＦＦに基づき、用紙Ｐが排紙されたか否かを判断する。制御部１１は、１枚排紙されるごとに、カウント値Ｃｎｔに「１」を加算する。
【００４９】
次いで、ステップＳ２において、制御部１１は、上面検知センサ９がＯＮになったか否かを判断する。
【００５０】
上面検知センサ９がＯＮになったと判断した場合（ステップＳ２：ＹＥＳ）、ステップＳ３において、制御部１１は、排紙台３の下降を開始させる。具体的には、制御部１１は、昇降モータ３２の逆転駆動を開始させる。
【００５１】
次いで、ステップＳ４において、制御部１１は、上面検知センサ９がＯＦＦになったか否かを判断する。上面検知センサ９がＯＦＦになっていないと判断した場合（ステップＳ４：ＮＯ）、制御部１１は、ステップＳ４を繰り返す。
【００５２】
上面検知センサ９がＯＦＦになったと判断した場合（ステップＳ４：ＹＥＳ）、ステップＳ５において、制御部１１は、排紙台３の下降を停止させる。具体的には、制御部１１は、昇降モータ３２を停止させる。
【００５３】
次いで、ステップＳ６において、制御部１１は、印刷枚数分の排紙が終了したか否かを判断する。印刷枚数分の排紙が終了したと判断した場合（ステップＳ６：ＹＥＳ）、制御部１１は、一連の処理を終了する。
【００５４】
印刷枚数分の排紙が終了していないと判断した場合（ステップＳ６：ＮＯ）、ステップＳ７において、制御部１１は、カウント値Ｃｎｔをリセット、すなわち、Ｃｎｔ＝０とする。この後、制御部１１は、ステップＳ２へ戻る。
【００５５】
ステップＳ２において、上面検知センサ９がＯＮになっていないと判断した場合（ステップＳ２：ＮＯ）、ステップＳ８において、制御部１１は、印刷枚数分の排紙が終了したか否かを判断する。印刷枚数分の排紙が終了したと判断した場合（ステップＳ８：ＹＥＳ）、制御部１１は、一連の処理を終了する。
【００５６】
印刷枚数分の排紙が終了していないと判断した場合（ステップＳ８：ＮＯ）、ステップＳ９において、制御部１１は、カウント値Ｃｎｔが規定枚数Ｎに達したか否かを判断する。
【００５７】
規定枚数Ｎは、排紙台３上に積載される用紙Ｐがカールしているか否かを制御部１１が判断するための値である。図５に示すように、用紙幅方向の中央部より両側が下方に湾曲した、上に凸の形状（逆Ｕ字形状）にカールした用紙Ｐが積み重なると、用紙間に隙間が生じる。このような場合、上面検知センサ９の光軸が用紙間の隙間を通ることで、上面検知センサ９がＯＦＦのまま、順次排紙された用紙Ｐが積み重なっていく。そこで、制御部１１は、カウント値Ｃｎｔが規定枚数Ｎに達した場合、図５のように排紙台３上の用紙Ｐがカールしていると判断する。
【００５８】
規定枚数Ｎは、用紙種類および用紙サイズに応じて規定される。用紙種類によって、カールしやすさが異なる。例えば、薄紙は厚紙よりカールしやすい。また、サイズが大きい用紙ほどカールしやすい。用紙種類および用紙サイズに基づき、カールしやすい用紙ほど、規定枚数Ｎは小さい値とされる。
【００５９】
図４に戻り、カウント値Ｃｎｔが規定枚数Ｎに達していないと判断した場合（ステップＳ９：ＮＯ）、制御部１１は、ステップＳ２へ戻る。
【００６０】
カウント値Ｃｎｔが規定枚数Ｎに達したと判断した場合（ステップＳ９：ＹＥＳ）、ステップＳ１０において、制御部１１は、カール発生時に排紙動作を続行するか否かを、ユーザが選択する設定であるか否かを判断する。
【００６１】
ここで、排紙装置１では、カール発生時に排紙動作を続行するか中止するかをユーザが選択する設定とすることができる。また、ユーザの選択によらず、排紙動作を続行するか中止するかを予め設定しておくこともできる。
【００６２】
排紙動作を続行するか否かをユーザが選択する設定であると判断した場合（ステップＳ１０：ＹＥＳ）、ステップＳ１１において、制御部１１は、排紙動作を一時停止させる。具体的には、制御部１１は、印刷装置１００に指示を出力して印刷動作を一時停止させるとともに、排紙部２による排紙動作を一時停止させる。
【００６３】
次いで、ステップＳ１２において、制御部１１は、図６に示す選択画面４０を表示部３８に表示させる。選択画面４０には、排紙台３上の用紙がカールしていることをユーザに通知するとともに、印刷および排紙を続行させるか否かをユーザに選択させるためのメッセージ４１が表示される。また、選択画面４０には、印刷および排紙を中止させる指示を受け付けるための中止ボタン４２と、印刷および排紙を続行させる指示を受け付けるための続行ボタン４３とが表示される。
【００６４】
次いで、ステップＳ１３において、制御部１１は、印刷および排紙を続行する指示がされたか否か、すなわち、続行ボタン４３が押下されたか否かを判断する。
【００６５】
中止ボタン４２が押下されたと判断した場合（ステップＳ１３：ＮＯ）、制御部１１は、印刷装置１００による印刷動作および排紙部２による排紙動作を再開させずに、そのまま一連の処理を終了する。
【００６６】
続行ボタン４３が押下されたと判断した場合（ステップＳ１３：ＹＥＳ）、ステップＳ１４において、制御部１１は、昇降モータ３２を逆転駆動させ、排紙台３を規定下降量Ｈだけ下降させる。規定下降量Ｈは、規定枚数Ｎおよび用紙種類に応じて規定される。規定枚数Ｎが大きいほど、また、厚い用紙ほど、規定下降量Ｈは大きい値とされる。
【００６７】
次いで、ステップＳ１５において、制御部１１は、排紙動作を再開させる。具体的には、制御部１１は、印刷装置１００に指示を出力して印刷動作を再開させるとともに、排紙部２による排紙動作を再開させる。この後、制御部１１は、ステップＳ７へ進む。
【００６８】
ステップＳ１０において、排紙動作を続行するか否かをユーザが選択する設定ではないと判断した場合（ステップＳ１０：ＮＯ）、ステップＳ１６において、制御部１１は、予め設定された内容から、印刷および排紙を続行する設定であるか否かを判断する。印刷および排紙を続行する設定であると判断した場合（ステップＳ１６：ＹＥＳ）、制御部１１は、ステップＳ１４へ進む。
【００６９】
印刷および排紙を中止する設定であると判断した場合（ステップＳ１６：ＮＯ）、ステップＳ１７において、制御部１１は、排紙動作を中止させる。具体的には、制御部１１は、印刷装置１００に指示を出力して印刷動作を停止させるとともに、排紙部２による排紙動作を停止させる。
【００７０】
次いで、ステップＳ１８において、制御部１１は、図７に示すエラー通知画面５０を表示部３８に表示させ、一連の処理を終了する。エラー通知画面５０には、排紙台３上の用紙がカールしている可能性があるため印刷を中止したことをユーザに通知するメッセージ５１が表示される。
【００７１】
以上説明したように、排紙装置１では、排紙動作中において、カウント値Ｃｎｔが規定枚数Ｎに達すると、排紙動作の中止か続行かを選択する。排紙動作を中止すれば、多数枚の用紙がカールしたまま積み重なっていくことを防止できる。これにより、用紙Ｐの積載状態の不良を低減できる。例えば、下層部の用紙Ｐが潰され、折り目やしわが生じたり、ユーザが排紙台３から用紙を取り出しにくくなったりすることを低減できる。また、排紙動作の続行が選択可能であることで、積載状態より積載量を重視する使用に対応できる。
【００７２】
また、排紙装置１では、カウント値Ｃｎｔが規定枚数Ｎに達したときに排紙動作を中止するか続行するかを、ユーザの指示に応じて選択する設定が可能である。これにより、排紙動作を続行することをユーザが指示できるので、ユーザにとっての利便性が向上する。
【００７３】
また、排紙装置１では、規定枚数Ｎが、用紙種類および用紙サイズに応じて規定される。これにより、用紙のカールしやすさに応じた適切な規定枚数Ｎを規定できる。具体的には、カールしやすい用紙ほど、規定枚数Ｎを小さい値とする。これにより、カウント値Ｃｎｔが規定枚数Ｎに達すると排紙動作を中止する場合に、迅速に排紙動作を中止できる。
【００７４】
また、排紙装置１では、規定下降量Ｈが、規定枚数Ｎおよび用紙種類に応じて規定される。これにより、排紙台３の下降量を適切に制御でき、排紙動作中における排紙台３上の積載用紙の上面位置を維持できる。この結果、排紙台３上の用紙Ｐの乱れを抑制できる。
【００７５】
なお、カウント値Ｃｎｔが規定枚数Ｎに達したときの排紙動作を中止するか続行するかの選択を省略し、カウント値Ｃｎｔが規定枚数Ｎに達すると常に排紙動作を中止するようにしてもよい。
【００７６】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００７７】
１  排紙装置
２  排紙部
３  排紙台
４  昇降駆動部
５Ａ，５Ｂ  サイドフェンス
６  サイドフェンス駆動部
７  エンドフェンス
８  エンドフェンス駆動部
９  上面検知センサ
１０  操作パネル部
１１  制御部
４０  選択画面
５０  エラー通知画面
１００  印刷装置
Ｐ  用紙
【図１】
2014076895.tif 000003
【図２】
2014076895.tif 000004
【図３】
2014076895.tif 000005
【図４】
2014076895.tif 000006
【図５】
2014076895.tif 000007
【図６】
2014076895.tif 000008
【図７】
2014076895.tif 000009